(57)【要約】【課題】デジタル放送による緊急情報をユーザ以外の周囲の人々と共有することを可能とする放送受信装置を提供する。【解決手段】緊急警報信号を受信したときに自動的に緊急警報放送番組を選局するとともに、その緊急警報放送番組の映像信号をメインディスプレイ２３１およびサブディスプレイ２３２の両方に出力し、緊急警報放送番組の音声信号をスピーカ２４ａ，２４ｂおよびイヤホン３０（装着中の場合）の両方に出力する。【選択図】図７
2007006442.tif 000002
【特許請求の範囲】
【請求項１】
音出力装置を接続するための接続手段と、
音を出力する音出力手段と、
少なくとも緊急警報放送に関する情報を受信する受信手段と、
前記受信手段により緊急警報放送に関する情報を受信すると、当該受信情報に基づいてデジタル放送の中から緊急警報放送番組を選局する選局手段と、
前記選局手段が緊急警報放送番組を選局した際に、前記接続手段を介して音を出力していた場合、前記緊急警報放送番組に関する音を前記接続手段を介して出力するとともに前記音出力手段から出力する制御手段と、
を備えた放送受信装置。
【請求項２】
第１表示手段と、
常に露出する第２表示手段と、
少なくとも緊急警報放送に関する情報を受信する受信手段と、
前記受信手段により緊急警報放送に関する情報を受信すると、当該受信情報に基づいてデジタル放送の中から緊急警報放送番組を選局する選局手段と、
前記選局手段が緊急警報放送番組を選局した際に、前記緊急警報放送番組に関する情報を前記第１表示手段および前記第２表示手段に表示する制御手段と、
を備えた放送受信装置。
【請求項３】
自己の現在位置の情報を取得する位置取得手段を備え、
前記制御手段は、前記受信手段により受信した緊急警報放送に関する情報に基づいて、自己の現在位置が前記緊急警報を要する地域に含まれる場合にのみ前記出力制御または表示制御する
請求項１または２記載の放送受信装置。
【請求項４】
前記制御手段は、前記受信手段により受信した緊急警報放送に関する情報に基づいて、前記緊急警報信号が所定の種別である場合にのみ前記出力制御または表示制御する
請求項１または２記載の放送受信装置。
【請求項５】
自己の現在位置の情報を取得する位置取得手段を備え、
前記制御手段は、前記受信手段により受信した緊急警報放送に関する情報に基づいて、前記緊急警報信号が所定の種別であり、かつ自己の現在位置が所定の地域に含まれる場合にのみ前記出力制御または表示制御する
請求項１または２記載の放送受信装置。
【請求項６】
緊急警報放送に含まれる音声、字幕・文字スーパー、データ放送の個々のデータが緊急警報放送に適した情報を含むか否かを判定する判定手段を備え、
前記制御手段は、前記判定手段の判定結果に基づいて、前記出力制御または表示制御する
請求項１または２記載の放送受信装置。
【請求項７】
前記緊急警報放送に関する音とは、緊急警報放送として放送されている音声、緊急警報放送を放送している旨を示す報知音、字幕・文字スーパーを音声に変換した音、またはデータ放送に含まれる文字列を音声に変換した音、のいずれか、またはそれらの組み合わせである
請求項１記載の放送受信装置。
【請求項８】
前記制御手段は、前記緊急警報放送番組に関する音を前記接続手段を介して出力するとともに前記音出力手段から出力する場合、それぞれ異なる種類の音を出力する
請求項１記載の放送受信装置。
【請求項９】
前記緊急警報放送に関する情報とは、緊急警報放送として放送されている映像、緊急警報放送を放送している旨を示す所定の文字列、字幕・文字スーパー、またはデータ放送、のいずれか、またはそれらの組み合わせである
請求項２記載の放送受信装置。
【請求項１０】
前記制御手段は、前記緊急警報放送番組に関する情報を前記第１表示手段および前記第２表示手段により表示する場合、それぞれ異なる種類の情報を出力する
請求項２記載の放送受信装置。
【発明の詳細な説明】
【技術分野】
【０００１】
本発明は、たとえばデジタル放送を視聴できる携帯通信端末等に搭載可能な放送受信装置に関する。
【背景技術】
【０００２】
近年、携帯電話機にテレビチューナを内蔵する技術が知られている（たとえば、特許文献１参照）。また、地上波デジタル放送または衛星デジタル放送では、主に携帯性の高い小型受信機向けに、１または３セグメントの伝送帯域を使用した放送が予定されている。
【０００３】
かかるデジタル放送には緊急警報放送番組を設定することができるので、その緊急警報放送番組を受信した場合に、たとえば自動的に音声ボリュームを増大させて緊急情報を認識しやすくするようなことなども行われている（たとえば、特許文献２参照）。
【０００４】
【特許文献１】特開２００２−９９２０号公報
【特許文献２】特開２００４−９６６９７号公報
【発明の開示】
【発明が解決しようとする課題】
【０００５】
しかしながら、通常ユーザが外出時にデジタル放送を視聴する場合には、イヤホンを使用して外部に音が漏れないように配慮する事が多い。したがって、上述したように緊急警報放送番組の音声ボリュームを増大させたとしても、そのユーザのみが緊急情報を認識できるにとどまり、そのユーザの周囲の人々と緊急情報を共有することは困難である。また、携帯通信端末のディスプレイは小型であり、緊急警報放送番組による緊急情報を周囲の人々と共有することは困難である。
【０００６】
本発明の目的はデジタル放送による緊急情報をユーザ以外の周囲の人々と共有することを可能とする放送受信装置を提供することにある。
【課題を解決するための手段】
【０００７】
本発明の第１の観点の放送受信装置は、音出力装置を接続するための接続手段と、音を出力する音出力手段と、少なくとも緊急警報放送に関する情報を受信する受信手段と、前記受信手段により緊急警報放送に関する情報を受信すると、当該受信情報に基づいてデジタル放送の中から緊急警報放送番組を選局する選局手段と、前記選局手段が緊急警報放送番組を選局した際に、前記接続手段を介して音を出力していた場合、前記緊急警報放送番組に関する音を前記接続手段を介して出力するとともに前記音出力手段から出力する制御手段と、を備えている。
【０００８】
本発明の第２の観点の放送受信装置は、第１表示手段と、常に露出する第２表示手段と、少なくとも緊急警報放送に関する情報を受信する受信手段と、前記受信手段により緊急警報放送に関する情報を受信すると、当該受信情報に基づいてデジタル放送の中から緊急警報放送番組を選局する選局手段と、前記選局手段が緊急警報放送番組を選局した際に、前記緊急警報放送番組に関する情報を前記第１表示手段および前記第２表示手段に表示する制御手段と、を備えている。
【０００９】
好適には、自己の現在位置の情報を取得する位置取得手段を備え、前記制御手段は、前記受信手段により受信した緊急警報放送に関する情報に基づいて、自己の現在位置が前記緊急警報を要する地域に含まれる場合にのみ前記出力制御または表示制御する。
【００１０】
好適には、前記制御手段は、前記受信手段により受信した緊急警報放送に関する情報に基づいて、前記緊急警報信号が所定の種別である場合にのみ前記出力制御または表示制御する。
【００１１】
好適には、自己の現在位置の情報を取得する位置取得手段を備え、前記制御手段は、前記受信手段により受信した緊急警報放送に関する情報に基づいて、前記緊急警報信号が所定の種別であり、かつ自己の現在位置が所定の地域に含まれる場合にのみ前記出力制御または表示制御する。
【００１２】
好適には、緊急警報放送に含まれる音声、字幕・文字スーパー、データ放送の個々のデータが緊急警報放送に適した情報を含むか否かを判定する判定手段を備え、前記制御手段は、前記判定手段の判定結果に基づいて、前記出力制御または表示制御する。
【００１３】
好適には、前記緊急警報放送に関する音とは、緊急警報放送として放送されている音声、緊急警報放送を放送している旨を示す報知音、字幕・文字スーパーを音声に変換した音、またはデータ放送に含まれる文字列を音声に変換した音、のいずれか、またはそれらの組み合わせである。
【００１４】
好適には、前記制御手段は、前記緊急警報放送番組に関する音を前記接続手段を介して出力するとともに前記音出力手段から出力する場合、それぞれ異なる種類の音を出力する。
【００１５】
好適には、前記緊急警報放送に関する情報とは、緊急警報放送として放送されている映像、緊急警報放送を放送している旨を示す所定の文字列、字幕・文字スーパー、またはデータ放送、のいずれか、またはそれらの組み合わせである。
【００１６】
好適には、前記制御手段は、前記緊急警報放送番組に関する情報を前記第１表示手段および前記第２表示手段により表示する場合、それぞれ異なる種類の情報を出力する。
【発明の効果】
【００１７】
本発明によれば、デジタル放送による緊急情報をユーザ以外の周囲の人々と共有することができる。
【発明を実施するための最良の形態】
【００１８】
以下、本発明の実施形態を添付図面に関連付けて説明する。
【００１９】
＜第１実施形態＞
図１は、本発明の実施形態に係る放送受信装置を採用した携帯電話機１の外観図である。
図示のとおり、携帯電話機１は、第１筐体１０１と第２筐体１０２とが可動機構１０３により連結された、いわゆる折り畳み式携帯電話機である。図１（ａ）は開かれた状態（開状態）での正面図を、図１（ｂ）は閉じられた状態（閉状態）での正面図を、図１（ｃ）は開状態での側面図を、図１（ｄ）は閉状態での側面図を、それぞれ示す。
図１に示すように、携帯電話機１は、開状態の場合にのみ露出するメインディスプレイ２３１（第１表示手段）と、開状態または閉状態のいずれの場合も（常に）露出するサブディスプレイ２３２（第２表示手段）とを有する。
【００２０】
図２は、実施形態に係る携帯電話機１のシステム構成を図解したブロック図である。
以下、図１および図２に関連付けて、携帯電話機１の主要な構成要素について述べる。
【００２１】
無線部１３は、電波を利用した無線通信を行うために、制御部１１で処理された音声情報、電子メール等の各種データを変調して送受信アンテナ１２により図示しない基地局に送信する。
また、無線部１３は、基地局から無線信号により送信され、送受信アンテナ１２で受信した電子メールや音声情報等の各種データを復調して制御部１１に送出する。
【００２２】
メモリ１４は、通話やメール、インターネットブラウザ等のアプリケーションプログラム、メールデータ、名前および電話番号が登録されたアドレス帳の各種データなど、本実施形態の携帯電話機が有する様々なデータを記憶する。制御部１１は、たとえば、デジタル放送（１セグメント放送）受信のためのアプリケーション（デジタル放送用アプリケーション）を起動するために、メモリ１４が記憶する当該アプリケーションのプログラムがＲＡＭ領域にロードされる。
【００２３】
また、メモリ１４は、位置情報取得部２７によって取得された現在地情報を逐次記憶する。
【００２４】
キー操作部１５は、複数の操作キーを含んで構成される。
複数のキーは、インターネットに接続するためのウェブキー、電子メール機能を実行するためのメールキー、ソフト１キーおよびソフト２キー、上下左右キー、処理を確定させるための決定キー、発話するためのオフフックキー、クリアキー、終話するためのオンフックキー１５ｉ、「０」〜「９」の数字、「＊」、「＃」に対応したテンキーからなる。
【００２５】
上下左右キーは、上下左右の４方向の操作が可能なキーである。たとえば、上下左右キーの上下の操作によって、デジタル放送の番組（チャンネル）をアップ／ダウンさせて選局操作を行うことができる。
【００２６】
受信アンテナ２０、チューナ１６、復調部１７、およびＴＳ分離部１８は、携帯電話機１におけるデジタル放送の受信／映像信号／音声信号等の出力を行う。
【００２７】
受信アンテナ２０は、デジタル放送波を常時、連続的に受信し、チューナ１６は、キー操作部１５に対する操作に応じて制御部１１から指令された番組（チャンネル）を選局し、選局した番組の放送内容、すなわち、トランスポートストリーム（ＴＳ）を復調部１７に出力する。
なお、本実施形態におけるデジタル放送では、緊急警報内容を放送するための緊急警報放送番組が設定されている。そして、後述する所定の条件が成立すると、緊急警報放送番組に自動選局される。
【００２８】
復調部１７は、選局された番組のトランスポートストリーム（ＴＳ）を復調する。
なお、復調されたトランスポートストリーム（ＴＳ）にスクランブルがかかっている場合には、図示しないデスクランブラにてスクランブルの解除を行う。すなわち、デスクランブラは、特定のデジタル放送受信装置のみが再生できることを許可する（限定受信方式の暗号化された放送を解読する）処理を行う。そして、トランスポートストリーム（ＴＳ）がスクランブル処理されている場合、制御部１１の指示のもとで動作し、スクランブル処理方式に則したデスクランブル処理を行う。
【００２９】
トランスポートストリーム（ＴＳ）は、例示的なＴＳを図３に図解したように、音声信号と、映像信号と、データ信号と、番組情報とがパケット単位で多重化されている。たとえば、音声信号と映像信号とはＭＰＥＧ方式で圧縮符号化されている。
【００３０】
データ信号には、緊急警報信号が必要に応じて含まれている。また、番組情報には、ＥＰＧデータ（電子番組ガイド）などが含まれている。
【００３１】
緊急警報信号のデータ構造を図４に示す。図４では、データ構造を構成する各要素データに対応するデータサイズが記されている。たとえば、記述子タグは８ビットであり、固定データ（０ｘＦＣ）である。
また、サービス識別子は、緊急警報放送番組を行う放送番組番号の識別のために使用される。開始／終了フラグは、緊急警報放送番組が開始／送信中の場合に「１」となり、終了している場合には「０」となっている。
【００３２】
図４に示すように、緊急警報信号には、地域符号と信号種別とが含まれる。
地域符号とは、緊急警報を要する地域を特定した符号である。信号種別とは、緊急警報の種類を特定した符号である。
【００３３】
地域符号の一例を図５に、信号種別の一例を図６に示す。
図５に示すように、地域符号は、たとえば都道府県ごとに特有の符号となっている。また、図６に示すように、信号種別は、緊急警報の種類を示す符号である。たとえば、地震が発生した時点では、信号種別は「０」となっており、その地震によって津波警報が発せられた場合には、信号種別は「１」となる。すなわち、緊急警報信号に含まれる地域符号と信号種別とを解析することで、たとえばどの県に津波警報が発せられたかを特定することができるようになっている。
【００３４】
上記トランスポートストリーム（ＴＳ）信号は、ＴＳ分離部１８にて、パケット毎に、映像信号、音声信号（音響／音声）、データ信号に分離される。
分離された映像信号は、画像処理部１９にて、たとえば、ＭＰＥＧ方式で復号されて映像として表示部２３に表示される。
分離された音声信号は、音声処理部２２にて、たとえば、ＭＰＥＧ方式で復号され、音声および／または音響としてスピーカ２４（２４ａ，２４ｂ）から出力される。
分離されたデータ信号は、データ処理部２１でその内容が解析され、緊急警報信号に含まれる地域符号および信号種別などが制御部１１に供給される。
【００３５】
画像処理部１９は、分離されたＭＰＥＧ方式の映像信号を復号し、映像信号をメインディスプレイ２３１および／またはサブディスプレイ２３２に出力する。なお、画像処理部１９は、デジタル放送の映像だけではなく、通話機能に応じたいわゆる待受画面や電話番号などを表示部２３に表示させることは言うまでもない。
【００３６】
音声処理部２２は、マイクロフォン（適宜マイクと略記する）２５より集音したユーザの音声に対して、フィルタリング処理や符号化処理などの所定の処理を行って音声信号を生成する。生成された音声データは、たとえば、無線部１３および送受信アンテナ１２を介して図示しない基地局へ通話のために送出される。
また、音声処理部２２は、送受信アンテナ１２および無線部１３を介して受信した音声データや、ＴＳ分離部１８により分離された音声信号を増幅して、スピーカ２４ａ，２４ｂに音声を出力させる。
本実施形態の携帯電話機１は、第２筐体１０２の第１表示手段としてメインディスプレイ２３１が形成された表面側にスピーカ２４ａが配置され、第２表示手段としてのサブディスプレイ２３２が形成された背面側にスピーカ２４ｂが配置されている。
携帯電話機１の外部接続端子（ＥＸ）にイヤホン（音出力装置）３０が装着されている場合には、音声処理部２２は、音声をイヤホン３０に出力する。
【００３７】
本実施形態においては、イヤホン３０使用時に緊急警報放送番組を受信した場合には、イヤホン３０の使用中であっても、緊急警報放送の音声をイヤホン３０に出力することはもとより、２つのスピーカ２４ａ，２４ｂからも緊急警報放送の音声を出力し、および、または、メインディスプレイ２３１のみならず、サブディスプレイ２３２においても緊急警報放送のメッセージ等を表示するように制御される。
【００３８】
位置情報取得部２７は、ＧＰＳアンテナ２６を介して衛星からのＧＰＳ信号を受信して、位置情報を取得する。すなわち、複数のＧＰＳ衛星から受信したＧＰＳ信号に含まれる緯度・経度情報に基づいて、自己の現在位置（現在地）を特定する。そして、この現在地情報は、逐次メモリ１４に格納され、更新される。
【００３９】
制御部１１は、マイクロコンピュータを主体として構成され、携帯電話機１の全体の制御を行う。たとえば、制御部１１は、無線部１３における各種情報の無線による送受信の制御、デジタル放送の受信処理、音声処理部２２に対する音声情報の処理、表示部２３への情報の表示制御、キー操作部１５からの入力情報に応じた処理、メモリ１４に対するアクセス制御等を行う。
【００４０】
制御部１１は、イヤホン３０使用時に緊急警報放送番組を受信した場合には、イヤホン３０の使用中であっても、緊急警報放送番組に関する音声をイヤホン３０に出力することはもとより、２つのスピーカ２４ａ，２４ｂからも緊急警報放送番組に関する音声を出力し、および、または、メインディスプレイ２３１のみならず、サブディスプレイ２３２においても緊急警報放送に関するメッセージ等を表示するように制御する。
制御部１１は、イヤホン３０とスピーカ２４ａ，２４ｂから出力する場合、たとえばそれぞれ異なる種類の音声を出力するように制御することも可能である。
また、制御部１１は、緊急警報放送番組に関する情報をメインディスプレイ２３１とサブディスプレイ２３２により表示する場合、たとえばその表示能力に応じてそれぞれ異なる種類の情報を出力するにように制御することも可能である。
【００４１】
制御部１１は、メモリ１４に格納される現在地情報と、データ処理部２１から供給される地域符号とを比較し、その比較結果に応じた処理を行う。また、データ処理部２１から供給される信号種別に応じた処理を行う。これらの処理の詳細については、図８以降のフローチャートを参照しながら説明する。
【００４２】
図８は、緊急警報放送番組の自動選局処理を示すフローチャートである。
図８において、まず、緊急警報信号を受信したか否かが確認される（ステップＳＴ１）。その結果、緊急警報信号を受信したと判断した場合には、その緊急警報信号に含まれる地域符号と、メモリ１４内の現在地情報との比較が行われ（ステップＳＴ２）、地域が一致、すなわち、現在地が緊急警報を要する地域に含まれると判断した場合には（ステップＳＴ３）、緊急警報信号のサービス識別子に基づいて緊急警報放送番組を自動的に（ユーザの操作なしに）選局する（ステップＳＴ４）。
【００４３】
これにより、ユーザは、緊急警報放送番組を視聴することで速やかに緊急情報を得ることができる。また、ステップＳＴ３で地域が一致しない場合には自動選局はなされず、緊急情報を必要としないユーザは、所望のデジタル放送を継続して視聴することができる。
【００４４】
図９は、緊急警報放送番組の映像信号、音声信号の出力方法を示すフローチャートである。
図９において、緊急警報放送番組を受信していないと判断した場合には（ステップＳＴ５）、ユーザにより選局されている番組の映像信号をメインディスプレイ２３１のみに出力する（ステップＳＴ６）。そして、イヤホン３０が装着されている場合には（ステップＳＴ７）、イヤホン３０へ音声信号を出力し（ステップＳＴ９）、イヤホン３０が装着されていない場合には（ステップＳＴ７）、スピーカ２４へ音声信号を出力する（ステップＳＴ８）。
【００４５】
一方、緊急警報放送番組を受信していると判断した場合には（ステップＳＴ５）、メインディスプレイ２３１のみならずサブディスプレイ２３２に対しても映像信号を出力する（ステップＳＴ１０）。これにより、携帯電話機１が閉状態の場合でも確実にユーザは緊急情報を得られるとともに、携帯電話機１を開状態にすることで、携帯電話機１の表側と裏側の双方に緊急情報が表示されるので、ユーザの周囲の人々も緊急情報を得ることができる。
【００４６】
さらに、イヤホン３０が装着されていない場合には（ステップＳＴ１１）、緊急警報放送番組の音声信号は、スピーカ２４に出力され（ステップＳＴ１３）、イヤホン３０が装着されている場合には（ステップＳＴ１１）、緊急警報放送番組の音声信号は、イヤホン３０のみならずスピーカ２４に対しても出力される（ステップＳＴ１２）。これにより、ユーザがイヤホン３０を装着している場合であっても、そのユーザだけでなく、ユーザの周囲の人々も緊急情報を得ることができる。
【００４７】
以降の説明においては、ステップＳＴ６〜９に示すように、通常ユーザによって選局された番組を視聴する際に行う出力方法を「通常出力」と称する。また、ステップＳＴ１０〜１３に示すように、緊急警報放送番組をユーザの周囲の人々に伝わるような出力方法を「緊急出力」と称する。
【００４８】
図１０は、図９に対して、さらに信号種別に伴う処理を含めたフローチャートである。
図１０は、図９と比較して、ステップＳＴ１９およびステップＳＴ２０の処理が追加された点で異なる。すなわち、緊急警報放送番組を受信していると判断した場合には（ステップＳＴ１４）、まずデータ処理部２１から供給される信号種別を確認する（ステップＳＴ１９）。ここで、信号種別が「１」である場合には津波警報が発せられたことがわかるので（ステップＳＴ２０）、ステップＳＴ２１以降の処理（図９のステップＳＴ１０以降の処理に相当）を行う。信号種別が「０」である場合は、地震警報であり津波情報と比較して緊急度が低いため、ステップＳＴ１５〜１８に示す「通常出力」とする。
このように、信号種別に基づいて緊急度が高い緊急警報の場合に限り、「緊急出力」を行うことができる。
【００４９】
図１１は、図１０に対して、さらに現在地情報を考慮したフローチャートである。
図１１は、図１０と比較して、ステップＳＴ３２およびステップＳＴ３３の処理が追加された点で異なる。すなわち、信号種別により津波警報が発せられたことを判断すると（ステップＳＴ３１）、位置情報取得部２７により最新の現在地情報を取得し（ステップＳＴ３２）、この取得した現在地情報に基づいて沿岸部であるか否かを判断する（ステップＳＴ３３）。現在地が沿岸部である場合には、「緊急出力」を行う。沿岸部か否かの判断は、沿岸部と定義付けた緯度・経度情報（緯度・経度の範囲）を予め記憶しておき、現在地情報の示す緯度・経度情報が沿岸部に含まれるか否かについて行う。または、所定のサーバにアクセスして沿岸部の緯度・経度情報（緯度・経度の範囲）を取得する方法でも良い。
このように、最新の現在地情報を取得することで、さらに精度が高い「緊急出力」を行うことができる。
【００５０】
なお、緊急警報放送番組の映像信号および／または音声信号の出力を、「通常出力」または「緊急出力」のいずれにするかについては、キー操作部１５の操作によってユーザが選択できるようにしてもよい。
【００５１】
次に、ユーザが携帯電話機１で音声通話中に、緊急警報信号を受信する場合の処理について、図１２〜図１４のフローチャートを参照しながら説明する。
【００５２】
図１２は、緊急警報放送番組の自動選局および緊急出力処理を示すフローチャートである。
図１２において、音声通話中の場合には（ステップＳＴ４０）、まず、緊急警報信号を受信したか否かが確認される（ステップＳＴ４１）。その結果、緊急警報信号を受信したと判断した場合には、その緊急警報信号に含まれる地域符号と、メモリ１４内の現在地情報との比較が行われる（ステップＳＴ４２）。そして、地域が一致、すなわち、現在地が緊急警報を要する地域に含まれると判断した場合には（ステップＳＴ４３）、所定の通知音を通話音声に重畳してスピーカ２４から（イヤホン３０装着時にはイヤホン３０から）出力し（ステップＳＴ４４）、さらに、緊急警報信号のサービス識別子に基づいて緊急警報放送番組を自動的に（ユーザの操作なしに）選局する（ステップＳＴ４５）。
【００５３】
その際、メインディスプレイ２３１およびサブディスプレイ２３２に対して、緊急警報放送番組の映像信号を出力する、すなわち、「緊急出力」を行う（ステップＳＴ４６）。これにより、携帯電話機１の表側と裏側の双方に緊急情報が表示され、ユーザの周囲の人々も緊急情報を得ることができる。
【００５４】
さらに、イヤホン３０が装着されている場合には（ステップＳＴ４７）、緊急警報放送番組の音声信号をスピーカ２４から大音量にて出力し（ステップＳＴ４８）、イヤホン３０が装着されていない場合には（ステップＳＴ４７）、緊急警報放送番組の音声信号をスピーカ２４から徐々に音量を増大させながら出力する（ステップＳＴ４９）。
したがって、ユーザは、状況に応じて通話音声と緊急情報の音声とを共に認識することができる。
【００５５】
以下の説明において、ステップＳＴ４６〜４９に示すように、緊急警報放送番組をユーザの周囲の人々に伝わるような出力方法を「緊急出力」と称する。
【００５６】
図１３は、図１２に対して、さらに信号種別に伴う処理を含めたフローチャートである。
図１３は、図１２と比較して、ステップＳＴ５４およびステップＳＴ５５の処理が追加された点で異なる。すなわち、現在地が緊急警報を要する地域に含まれると判断した場合には（ステップＳＴ５３）、まずデータ処理部２１から供給される信号種別を確認する（ステップＳＴ５４）。ここで、信号種別が「１」である場合には津波警報が発せられたことがわかるので（ステップＳＴ５５）、ステップＳＴ５６以降の処理（図１２のステップＳＴ４４以降の処理に相当）を行う。信号種別が「０」である場合は、地震警報であり津波情報と比較して緊急度が低いため、音声通話を優先し、緊急警報放送番組の選局を行わない。
このように、信号種別に基づいて緊急度が高い緊急警報の場合に限り、緊急警報放送番組の選局および「緊急出力」を行うことができる。
【００５７】
図１４は、図１３に対して、さらに現在地情報を考慮したフローチャートである。
図１４は、図１３と比較して、ステップＳＴ６８およびステップＳＴ６９の処理が追加された点で異なる。すなわち、信号種別により津波警報が発せられたことを判断すると（ステップＳＴ６７）、位置情報取得部２７により最新の現在地情報を取得し（ステップＳＴ６８）、この取得した現在地情報に基づいて沿岸部であるか否かを判断する（ステップＳＴ６９）。現在地が沿岸部である場合には、ステップＳＴ７０以降の処理、すなわち、緊急警報放送番組の選局および「緊急出力」を行う。沿岸部か否かの判断は、沿岸部と定義付けた緯度・経度情報（緯度・経度の範囲）を予め記憶しておき、現在地情報の示す緯度・経度情報が沿岸部に含まれるか否かについて行う。または、所定のサーバにアクセスして沿岸部の緯度・経度情報（緯度・経度の範囲）を取得する方法でも良い。
このように、最新の現在地情報を取得することで、音声通話との優先度を考慮しながら、さらに高い精度で緊急警報放送番組の選局および「緊急出力」を行うことができる。
【００５８】
以上説明したように、実施形態に係る携帯電話機１によれば、緊急警報信号を受信したときに自動的に緊急警報放送番組を選局するとともに、その緊急警報放送番組の映像信号をメインディスプレイ２３１およびサブディスプレイ２３２の両方に出力（緊急出力）し、緊急警報放送番組の音声信号をスピーカ２４およびイヤホン３０（装着中の場合）の両方に出力（緊急出力）するので、携帯電話機１を保有しているユーザのみならず、その周囲の人々とも緊急情報を共有することができる。したがって、ユーザを含めてその周囲の人々が、災害等に対して、的確な集団避難行動を行う事が可能となる。
【００５９】
また、携帯電話機１が取得する現在地情報や、緊急警報信号に含まれる信号種別によって、津波警報発令時などの早急に避難行動を起こさなければならない特定の災害に関する場合のみに、緊急警報放送番組の選局並びに緊急出力を行うようにすることができるので、災害における周囲の人々の無用な混乱を防止することもできる。
【００６０】
また、緊急警報の情報の解析を行った後、その解析結果（該緊急警報に該当するまたは該当しない）の旨をユーザに通知するだけで、緊急警報放送番組に自動選局（たとえば、ステップＳＴ４）せずに、ユーザに起動または選局を任せても良い。
また、緊急警報の情報は、デジタル放送以外にも、無線通信事業者（携帯電話事業者）におけるメッセージサービス（たとえばＳＭＳ（ショートメッセージサービス））やブロードキャスト／マルチキャストサービスにより送信され、送信された信号を無線部を介して無線通信機能（携帯電話機能）により取得して本発明の処理を行っても良い。
尚、このように、無線通信事業者（携帯電話事業者）におけるサービスにより取得する場合、デジタル放送のチューナを常時、または定期的に起動させないので、携帯通信端末の電力消費を抑えることが出来る。
以上、図面を参照して本発明の実施形態について詳述してきたが、具体的な構成はこれらの実施形態に限られるものではなく、この発明の要旨を逸脱しない範囲の設計変更等も含まれる。
【００６１】
＜第２実施形態＞
次に、本発明の放送受信装置の第２の実施形態について説明する。
前述した第１の実施形態においては、位置情報と緊急警報放送の対象エリアとの比較の上で、緊急警報放送番組を選局することを前提としていたが、本第２の実施形態においては、携帯電話機（携帯端末）１では位置情報にかかわらず緊急警報放送番組を選局することを標準動作としている。
また、第２の実施形態においては、緊急警報放送番組に関する情報には、緊急警報放送を放送している旨を示す報知音、字幕・文字スーパーを音声に変換した音、またはデータ放送に含まれる文字列を音声に変換した音、のいずれか、またはそれらの組み合わせであることから、音声、字幕、データ放送等が緊急情報を含むか否かの判定機能を制御部の機能として追加し、その判定結果に基づいて出力する音声や表示を所定の優先順位に従って切り替え、また、音声が適切でない場合には字幕、データ放送等の文字を音声に変換して出力する。
【００６２】
以下、本第２の実施形態の特徴的な機能について、図１５〜図２５のフローチャートに関連付けて説明する。
なお、第２の実施形態の基本的な構成は、図１および図２の構成と同様である。したがって、以下の説明では、図１および図２の符号を参照して説明する場合もある。
【００６３】
図１５は、第２の実施形態に係る緊急警報放送の選局動作を説明するためのフローチャートである。
【００６４】
第２の実施形態では、緊急警報信号を受信すると（ＳＴ１０１）、位置情報を基準とすることなく、緊急警報信号に従って緊急警報放送番組を自動選局する（ＳＴ１０２）。
なお、緊急警報信号の受信は、放送波に含まれるものの受信のみならず、ＳＭＳ等の携帯電話の通信機能を利用した受信によるものを含む。
【００６５】
図１６は、図８と重複する部分があるが位置情報を取得して自動選局する動作を説明するためのフローチャートである。
【００６６】
この場合、緊急警報信号を受信すると（ＳＴ１１１）、位置情報を取得する（ＳＴ１１２）。取得する位置情報については、たとえばあらかじめユーザが設定していた居住地域設定情報、ＧＰＳにより取得した位置情報、端末周辺の携帯電話機の基地局から得られる情報をもとに割り出した位置情報を利用することができる。
次に、取得した位置情報と緊急警報信号における地域符号とを比較し（ＳＴ１１３）、地域が一致するか否かを判定する（ＳＴ１１４）。
そして、地域が一致していると判定すると、緊急警報信号に従って緊急警報放送番組を自動選局する（ＳＴ１１５）。
【００６７】
次に、第２の実施形態における通常時の表示制御、音出力制御と、緊急時の表示制御と音出力制御とを切り替える判断を行う動作例を、図１７〜図２１のフローチャートに関連付けて説明する。
【００６８】
図１７は、緊急警報放送番組を選局中か否かのみで通常時の表示制御、音出力制御と、緊急時の表示制御と音出力制御とを切り替える例を説明するためのフローチャートである。
【００６９】
この場合、緊急警報放送番組を選局中か否かを判定する（ＳＴ１２１）。
そして、緊急警報放送番組を選局中であると判定すると、緊急表示制御（ＳＴ１２２）および緊急出力制御（ＳＴ１２３）を行う。
緊急警報放送番組を選局中でないと判定すると、通常表示制御（ＳＴ１２４）および通常出力制御（ＳＴ１２５）を行う。
【００７０】
図１８は、図１７の切り替え制御に、さらに信号種別（津波か地震か）を判定基準として、通常時の表示制御、音出力制御と、緊急時の表示制御と音出力制御とを切り替える例を説明するためのフローチャートである。
【００７１】
緊急警報放送番組を選局中か否かを判定する（ＳＴ１３１）。
そして、緊急警報放送番組を選局中であると判定すると、緊急警報信号の信号種別を確認し（ＳＴ１３２）、たとえば津波であるか否かを判定する（ＳＴ１３３）。
津波と判定すると、緊急表示制御（ＳＴ１３４）および緊急出力制御（ＳＴ１３５）を行う。
津波でないと判定すると、通常表示制御（ＳＴ１３６）および通常出力制御（ＳＴ１３７）を行う。
【００７２】
図１９は、図１７の切り替え制御に、さらに位置情報と地域符号を判定基準として、通常時の表示制御、音出力制御と、緊急時の表示制御と音出力制御とを切り替える例を説明するためのフローチャートである。
【００７３】
緊急警報放送番組を選局中か否かを判定する（ＳＴ１４１）。
そして、緊急警報放送番組を選局中であると判定すると、位置情報を取得する（ＳＴ１４２）。次に、取得した位置情報と緊急警報信号における地域符号とを比較し（ＳＴ１４３）、地域が一致するか否かを判定する（ＳＴ１４４）。
地域が一致していると判定すると、緊急表示制御（ＳＴ１４５）および緊急出力制御（ＳＴ１４６）を行う。
地域が一致してないと判定すると、通常表示制御（ＳＴ１４７）および通常出力制御（ＳＴ１４８）を行う。
【００７４】
図２０は、図１８の切り替え制御に、さらに位置情報と地域符号を判定基準として、通常時の表示制御、音出力制御と、緊急時の表示制御と音出力制御とを切り替える例を説明するためのフローチャートである。
【００７５】
緊急警報放送番組を選局中か否かを判定する（ＳＴ１５１）。
そして、緊急警報放送番組を選局中であると判定すると、緊急警報信号の信号種別を確認し（ＳＴ１５２）、たとえば津波であるか否かを判定する（ＳＴ１５３）。
津波と判定すると、位置情報を取得する（ＳＴ１５４）。次に、取得した位置情報と緊急警報信号における地域符号とを比較し（ＳＴ１５５）、地域が一致するか否かを判定する（ＳＴ１５６）。
地域が一致していると判定すると、緊急表示制御（ＳＴ１５７）および緊急出力制御（ＳＴ１５８）を行う。
一方、ステップＳＴ１５３で津波でないと判定し、あるいは、ステップＳＴ１５６で地域が一致しないと判定すると、通常表示制御（ＳＴ１５９）および通常出力制御（ＳＴ１６０）を行う。
【００７６】
図２１は、図２０の切り替え制御に、さらに信号種別に応じた危険地域内であるか否かを判定基準として、通常時の表示制御、音出力制御と、緊急時の表示制御と音出力制御とを切り替える例を説明するためのフローチャートである。
【００７７】
緊急警報放送番組を選局中か否かを判定する（ＳＴ１６１）。
そして、緊急警報放送番組を選局中であると判定すると、緊急警報信号の信号種別を確認し（ＳＴ１６２）、たとえば津波であるか否かを判定する（ＳＴ１６３）。
津波と判定すると、位置情報を取得する（ＳＴ１６４）。次に、取得した位置情報と緊急警報信号における地域符号とを比較し（ＳＴ１６５）、地域が一致するか否かを判定する（ＳＴ１６６）。
地域が一致していると判定すると、位置情報で示す位置が危険地域内であるか否かをチェック（ＳＴ１６７）、沿岸部であるか否かの判定を行う（ＳＴ１６８）。
沿岸部であると判定すると、緊急表示制御（ＳＴ１６９）および緊急出力制御（ＳＴ１７０）を行う。
一方、ステップＳＴ１６３で津波でないと判定し、あるいは、ステップＳＴ１６６で地域が一致しないと判定し、あるいは、ステップＳＴ１６８で沿岸部でないと判定すると、通常表示制御（ＳＴ１７１）および通常出力制御（ＳＴ１７２）を行う。
【００７８】
次に、第２の実施形態における通常の表示制御および緊急時の表示制御について説明する。
【００７９】
図２２は、第２の実施形態における通常の表示制御を説明するためのフローチャートである。
第２の実施形態における通常表示制御では、受信中の放送の、映像、字幕・文字スーパー、ＢＭＬ等をメインディスプレイ２３１に適宜表示する（ＳＴ２０１）。
【００８０】
図２３は、第２の実施形態における緊急時の表示制御を説明するためのフローチャートである。
【００８１】
第２の実施形態における緊急表示制御では、受信中の緊急警報放送の、映像、字幕・文字スーパー、ＢＭＬ等をメインディスプレイ２３１に適宜表示する（ＳＴ２１１）。
次に、字幕・文字スーパーがあるか否かを判定する（ＳＴ２１２）。
ステップＳＴ２１２において、字幕・文字スーパーがないと判定すると、次に、データ放送があるかないかの判定を行う（ＳＴ２１３）。
ステップＳＴ２１３において、データ放送がないと判定すると、緊急警報信号の信号種別に応じて、「地震情報」、「津波情報」等の文字列をサブディスプレイ２３２に表示する（ＳＴ２１４）。
ステップＳＴ２１２において、字幕・文字スーパーが有ると判定すると、字幕・文字スーパーの文字列をチェックし（ＳＴ２１５）、緊急警報放送に適したか字幕・文字スーパーであるか否かの判定を行う（ＳＴ２１６）。
ステップＳＴ２１６において、緊急警報放送に適した字幕・文字スーパーであると判定すると、その字幕・文字スーパーをサブディスプレイ２３２に表示する（ＳＴ２１７）。
これに対して、ステップＳＴ２１６において、緊急警報放送に適した字幕・文字スーパーでないと判定すると、ステップＳＴ２１３の処理に移行する。
また、ステップＳＴ２１３において、データ放送が有ると判定すると、データ放送の文字列をチェックし（ＳＴ２１８）、緊急警報放送に適したデータ放送であるか否かの判定を行う（ＳＴ２１９）。
ステップＳＴ２１９において、緊急警報放送に適したデータ放送であると判定すると、そのデータ放送の文字列をサブディスプレイ２３２に表示する。
これに対して、ステップＳＴ２１９において、緊急警報放送に適したデータ放送でないと判定すると、ステップＳＴ２１４の処理に移行し、緊急警報信号の信号種別に応じて、「地震情報」、「津波情報」等の文字列をサブディスプレイ２３２に表示する。
【００８２】
なお、文字列が緊急警報放送に適しているか否かを判定するには、「地震」、「津波」、「震度」、「被害」等の緊急警報放送にて多用されるキーワードが含まれているか否かをもとに判定する方法を採用することができる。
【００８３】
次に、第２の実施形態における通常の音出力制御および緊急時の音出力制御について説明する。
【００８４】
図２４は、第２の実施形態における通常の音出力制御を説明するためのフローチャートである。
【００８５】
第２の実施形態における通常の音出力制御では、まず、イヤホン３０を使用中か否かの判定を行う（ＳＴ２２１）。
イヤホン３０を使用であると判定すると、受信中の放送の音声をイヤホン３０から出力する（ＳＴ２２２）。
一方、イヤホン３０を使用中でないと判定すると、受信中の放送の音声をスピーカ２４ａ、および、または２４ｂから出力する（ＳＴ２２３）。
【００８６】
図２５は、第２の実施形態における緊急時の音出力制御を説明するためのフローチャートである。
【００８７】
第２の実施形態における緊急時の音出力制御では、まず、イヤホン３０を使用中か否かの判定を行う（ＳＴ２３１）。
イヤホン３０を使用であると判定すると、受信中の緊急警報放送の音声をイヤホン３０から出力する（ＳＴ２３２）。そして、緊急警報放送の音声をチェックし（ＳＴ２３３）、緊急警報放送に適した音声であるか否かの判定を行う（ＳＴ２３４）。
ステップＳＴ２３４において、緊急警報放送に適した音声であると判定すると、字幕・文字スーパーがあるか否かを判定する（ＳＴ２３５）。
ステップＳＴ２３５において、字幕・文字スーパーがないと判定すると、次に、データ放送があるかないかの判定を行う（ＳＴ２３６）。
ステップＳＴ２３６において、データ放送がないと判定すると、緊急警報放送を放送中である旨を示す報知音をスピーカ２４ａ、および、または２４ｂから出力する（ＳＴ２３７）。
ステップＳＴ２３５において、字幕・文字スーパーが有ると判定すると、字幕・文字スーパーの文字列をチェックし（ＳＴ２３８）、緊急警報放送に適したか字幕・文字スーパーであるか否かの判定を行う（ＳＴ２３９）。
ステップＳＴ２３９において、緊急警報放送に適した字幕・文字スーパーであると判定すると、その字幕・文字スーパーを制御部１１および音声処理部２２により形成される音声合成部で音声に変換してスピーカ２４ａ、および、または２４ｂから出力する（ＳＴ２４０）。
これに対して、ステップＳＴ２３９において、緊急警報放送に適した字幕・文字スーパーでないと判定すると、ステップＳＴ２３６の処理に移行する。
また、ステップＳＴ２３６において、データ放送が有ると判定すると、データ放送の文字列をチェックし（ＳＴ２４１）、緊急警報放送に適したデータ放送であるか否かの判定を行う（ＳＴ２４２）。
ステップＳＴ２４２において、緊急警報放送に適したデータ放送であると判定すると、そのデータ放送の文字列を、制御部１１および音声処理部２２により形成される音声合成部で音声に変換してスピーカ２４ａ、および、または２４ｂから出力する（ＳＴ２４３）。
また、ステップＳＴ２３１において、イヤホンを使用中でないと判定し、あるいは、ステップＳＴ２３４において、緊急警報放送に適した音声でないと判定すると、受信中の緊急警報放送の音声をスピーカ２４ａ、および、または２４ｂから出力する（ＳＴ２４４）。
【００８８】
なお、放送の音声が緊急警報放送に適しているか否かを判定するには、音声認識により「地震」、「津波」、「震度」、「被害」等の緊急警報放送にて多用されるキーワードが含まれているか否かをもとに判定する方法を採用することができる。
なお、音声認識部は、制御部１１および音声処理部２２により形成される。
【００８９】
第２の実施形態によれば、上述した第１の実施形態と同様の効果を得られることはもとより、緊急警報放送番組情報を周囲の人々により共有しやすくすることができ、的確な集団避難行動を行いやすくすることが可能となる。
【図面の簡単な説明】
【００９０】
【図１】実施形態に係る携帯電話機１の外観図である。
【図２】実施形態に係る携帯電話機１のシステム構成を図解したブロック図である。
【図３】トランスポートストリーム（ＴＳ）の構成を例示する図である。
【図４】緊急警報信号のデータ構造を示す図である。
【図５】地域符号の一例を示す図である。
【図６】信号種別の一例を示す図である。
【図７】実施形態におけるイヤホン使用時に緊急警報放送を受信したときの緊急警報放送の音声出力制御およびメッセージ表示制御例を示す図である。
【図８】緊急警報放送番組の自動選局処理を示すフローチャートである。
【図９】緊急警報放送番組の映像信号、音声信号の出力方法を示すフローチャートである。
【図１０】図９に対して、信号種別に伴う処理を含めたフローチャートである。
【図１１】図１０に対して、現在地情報を考慮したフローチャートである。
【図１２】緊急警報放送番組の自動選局および緊急出力処理を示すフローチャートである。
【図１３】図１２に対して、信号種別に伴う処理を含めたフローチャートである。
【図１４】図１３に対して、現在地情報を考慮したフローチャートである。
【図１５】第２の実施形態に係る緊急警報放送の選局動作を説明するためのフローチャートである。
【図１６】図８と重複する部分があるが位置情報を取得して自動選局する動作を説明するためのフローチャートである。
【図１７】緊急警報放送番組を選局中か否かのみで通常時の表示制御、音出力制御と、緊急時の表示制御と音出力制御とを切り替える例を説明するためのフローチャートである。
【図１８】図１７の切り替え制御に、さらに信号種別（津波か地震か）を判定基準として、通常時の表示制御、音出力制御と、緊急時の表示制御と音出力制御とを切り替える例を説明するためのフローチャートである。
【図１９】図１７の切り替え制御に、さらに位置情報と地域符号を判定基準として、通常時の表示制御、音出力制御と、緊急時の表示制御と音出力制御とを切り替える例を説明するためのフローチャートである。
【図２０】図１８の切り替え制御に、さらに位置情報と地域符号を判定基準として、通常時の表示制御、音出力制御と、緊急時の表示制御と音出力制御とを切り替える例を説明するためのフローチャートである。
【図２１】図２０の切り替え制御に、さらに信号種別に応じた危険地域内であるか否かを判定基準として、通常時の表示制御、音出力制御と、緊急時の表示制御と音出力制御とを切り替える例を説明するためのフローチャートである。
【図２２】第２の実施形態における通常の表示制御を説明するためのフローチャートである。
【図２３】第２の実施形態における緊急時の表示制御を説明するためのフローチャートである。
【図２４】第２の実施形態における通常の音出力制御を説明するためのフローチャートである。
【図２５】第２の実施形態における緊急時の音出力制御を説明するためのフローチャートである。
【符号の説明】
【００９１】
１…携帯電話機
１１…制御部
１２，２０…送受信アンテナ
１３…無線部
１４…メモリ
１５…キー操作部
１６…チューナ
１７…復調部
１８…ＴＳ分離部
１９…画像処理部
２１…データ処理部
２２…音声処理部
２３…表示部
２３１…メインディスプレイ
２３２…サブディスプレイ
２４ａ，２４ｂ…スピーカ
２５…マイクロフォン
２６…ＧＰＳアンテナ
２７…位置情報取得部
３０…イヤホン
【図１】
2007006442.tif 000003
【図２】
2007006442.tif 000004
【図３】
2007006442.tif 000005
【図４】
2007006442.tif 000006
【図５】
2007006442.tif 000007
【図６】
2007006442.tif 000008
【図７】
2007006442.tif 000009
【図８】
2007006442.tif 000010
【図９】
2007006442.tif 000011
【図１０】
2007006442.tif 000012
【図１１】
2007006442.tif 000013
【図１２】
2007006442.tif 000014
【図１３】
2007006442.tif 000015
【図１４】
2007006442.tif 000016
【図１５】
2007006442.tif 000017
【図１６】
2007006442.tif 000018
【図１７】
2007006442.tif 000019
【図１８】
2007006442.tif 000020
【図１９】
2007006442.tif 000021
【図２０】
2007006442.tif 000022
【図２１】
2007006442.tif 000023
【図２２】
2007006442.tif 000024
【図２３】
2007006442.tif 000025
【図２４】
2007006442.tif 000026
【図２５】
2007006442.tif 000027